(57)【要約】【課題】  容器内に乾燥剤を封入するとともに、外気の侵入を遮断し、湿気を吸収しないようにしたフィルム状食品、その他のフィルム状シート状物品の収納容器を提供すること。【解決手段】  容器本体と、該容器本体に取着され、容器内を密封する底蓋とからなるフィルム状物品収納容器であって、容器本体に、取出口と、容器本体内と連通する開孔を設けた乾燥剤の収納部を設け、取出口と収納部を覆うタックラベルを貼着し、底蓋に、取出口の下方に位置する傾斜面を設けたことを特徴とする。【選択図】  図１
2005153968.tif 000002
【特許請求の範囲】
【請求項１】
容器本体と、該容器本体に取着され、容器内を密封する底蓋とからなるフィルム状物品収納容器であって、
容器本体に、取出口と、容器本体内と連通する開孔を設けた乾燥剤の収納部を設け、取出口と収納部を覆うタックラベルを貼着し、
底蓋に、取出口の下方に位置する傾斜面を設けたことを特徴とするフィルム状物品収納容器。
【請求項２】
容器本体と、該容器本体に取着され、容器内を密封する底蓋とからなるフィルム状物品収納容器であって、
容器本体に、取出口と、容器本体内と連通する開孔を設けた乾燥剤の収納部を設け、
取出口の内端縁に取出口を閉鎖する開閉蓋を取着し、収納部を覆うタックラベルを貼着し、
底蓋に、取出口の下方に位置する傾斜面を設けたことを特徴とするフィルム状物品収納容器。
【請求項３】
上部ケースと、該上部ケースに嵌合される下部ケースとからなるフィルム状物品収納容器であって、
上部ケースの頂壁に、取出口を設け、該取出口を覆うタックラベルを頂壁上面に貼着し、
下部ケースに、取出口の下方に位置する傾斜面を設けた収納室と、乾燥剤の収納部を設けたことを特徴とするフィルム状物品収納容器。
【請求項４】
タックラベルに摘み部が設けられ、摘み部と取出口封鎖部が貼着剤の非塗布部分となっていることを特徴とする請求項１、３記載のフィルム状物品収納容器。
【請求項５】
タックラベルの貼着剤が、貼着と剥離可能な粘着剤であることを特徴とする請求項４記載のフィルム状物品収納容器。
【請求項６】
フィルム状物品が、食品であることを特徴とする請求項１〜５記載のフィルム状物品収納容器。
【発明の詳細な説明】
【技術分野】
【０００１】
本発明は、フィルム状物品収納容器に関するものである。
【背景技術】
【０００２】
香料、消臭剤、或いは薬剤等を水溶性フィルム内に含有させた口中清涼フィルムは、従来より知られており（例えば、特許文献１参照）、また、各種の清涼フィルム等をポケットに入れて持ち歩けるように、携帯用の小型容器に収納したフィルム状食品収納容器も市販されている。
【０００３】
市販の収納容器のほとんどは、清涼フィルム等のフィルム状食品を重ねて収納するだけのきわめて薄い容器で、乾燥剤を収納していなかった。
【０００４】
しかしながら、清涼フィルム等のフィルム状食品は、水溶性であるため、湿気によって変質したり、相互に付着するという問題があった。
【特許文献１】特開２００１−９７８３６号公報
【発明の開示】
【発明が解決しようとする課題】
【０００５】
本発明は、上記問題を解決することを課題として、容器内に乾燥剤を封入するとともに、外気の侵入を遮断し、湿気を吸収しないようにしたフィルム状食品、その他のフィルム状シート状物品の収納容器を提供することを目的とする。
【課題を解決するための手段】
【０００６】
本発明は、上記の課題を解決するため、フィルム状物品収納容器として、  容器本体と、該容器本体に取着され、容器内を密封する底蓋とからなるフィルム状物品収納容器であって、容器本体に、取出口と、容器本体内と連通する開孔を設けた乾燥剤の収納部を設け、取出口と収納部を覆うタックラベルを貼着し、底蓋に、取出口の下方に位置する傾斜面を設けたことを特徴とする構成を採用する。
【０００７】
別実施例として、容器本体と、該容器本体に取着され、容器内を密封する底蓋とからなるフィルム状物品収納容器であって、容器本体に、取出口と、容器本体内と連通する開孔を設けた乾燥剤の収納部を設け、取出口の内端縁に取出口を閉鎖する開閉蓋を取着し、収納部を覆うタックラベルを貼着し、底蓋に、取出口の下方に位置する傾斜面を設けたことを特徴とする構成を採用する。
【０００８】
また、別実施例として、上部ケースと、該上部ケースに嵌合される下部ケースとからなるフィルム状物品収納容器であって、上部ケースの頂壁に、取出口を設け、該取出口を覆うタックラベルを頂壁上面に貼着し、下部ケースに、取出口の下方に位置する傾斜面を設けた収納室と、乾燥剤の収納部を設けたことを特徴とする構成を採用する。
【０００９】
タックラベルの実施態様として、タックラベルに摘み部が設けられ、摘み部と取出口封鎖部が貼着剤の非塗布部分となっていることを特徴とする構成を採用し、タックラベルの貼着剤が、貼着と剥離可能な粘着剤であることを特徴とする。
【００１０】
フィルム状物品の実施態様として、フィルム状物品が、食品であることを特徴とする。
【発明の効果】
【００１１】
収納容器を密封し、乾燥剤を収納するようにしたから、取出口を閉じたときに、外気の侵入を阻止し、湿気から内容物を守ることができるようになった。
取出口に対応するよう位置する傾斜面を設けた内容物の収納室が設けられているから、フィルム状物品を一枚ずつ取出すことが、容易にできるようになった。
【発明を実施するための最良の形態】
【００１２】
次に、本発明のフィルム状物品収納容器について説明する。
本収納容器は、内容物として、清涼フィルム、その他のフィルム状食品、海苔等のシート状の乾燥食品、或いはティッシュペーパー、その他のシート状日用品が収納されるもので、以下実施例をあげて説明する。
【実施例１】
【００１３】
図１、２において、Ａは容器本体、Ｂは容器本体Ａに取着された底蓋である。
容器本体Ａは、頂壁１と側周壁２、および側周壁２の下端から外方に突出するフランジ３によって構成されている。
【００１４】
頂壁１には、取出口４と乾燥剤５の収納部６が設けられており、収納部６の底面には、容器本体内と連通する開孔７が穿設されている。
頂壁１上面には、取出口４と収納部６を被うタックラベル８が貼着されており、タックラベル８の一端は、取出口４の側では頂壁１からはみ出して、摘み部９を形成している。
タックラベル８の取出口４に近い中間部には、切込み線１０が形成されている。
【００１５】
タックラベル８の裏面には、貼着と剥離可能な粘着剤が塗布されている。
図２（ｂ）に示すように、取出口４の部分と、摘み部９の部分には、粘着剤の非塗布部分１１ａ、１１ｂが形成され、摘み部９を摘んで、タックラベル８を開閉して取出口４を開閉するようにしている。
【００１６】
図３、４に示すように、フランジ３の裏面には、溶着用の突起１２が全周にわたって突設されており、フランジ３の後端には、薄肉のヒンジ部１３を介して底蓋Ｂが連設されている。
【００１７】
底蓋Ｂは、フランジ３の外形と同一の板体１４によって形成され、外周に沿って容器本体Ａの側周壁２内周に嵌合する突条１５が立設されている。
突条１５の端部近くに、取出口４に対応する位置には、上面を傾斜面１６としたフィルム状物品の引出し部１７が立設されている。
【００１８】
容器本体Ａと底壁Ｂによって、内容物ａの収納室１８が形成されている。
【００１９】
次に、本収納容器の使用態様と、作用効果について説明する。  
内容物の充填にあたって、図３に示すように、内容物ａのフィルム状食品が容器本体Ａ内に収納された後、底蓋Ｂが被せられ、超音波シールまたはヒートシールによって、底蓋Ｂが容器本体Ａのフランジ３に溶着される。
その際、容器本体Ａの側周壁２内周には底蓋Ｂの突条１５が嵌合されるので、内部は密封される。
次いで、収納部６に乾燥剤５が収納され、図２（ａ）に示すように、取出口４と収納部６がタックラベル８によって被われる。
【００２０】
使用にあたっては、図２に示すように、摘み部９を摘んで、タックラベル８を引っ張り上げると、タックラベル８は、切込み線１０までめくり上げることができ、取出口４を開口させることができる。
【００２１】
内容物ａのフィルム状物品を引っ張り出すときには、引出し部１７の傾斜面１６に沿って上方に引き出すことができるので、何らの支障なく取出すことができる。
内容物ａの取出後には、取出口４は、タックラベル８を貼着させることによって閉ざされ、容器内部は密封される。
そして、乾燥剤５により、開孔７を通じて収納室１８内の湿気が吸湿されるので、内容物ａは、湿気を吸収することはなく、変質したり、相互に付着することはない。
【実施例２】
【００２２】
次に、第２実施例について説明する。
本実施例は、容器本体の取出口をヒンジ式の開閉蓋を取着したもので、同一の構成部分には符号に添え字ａを付して図示し、以下相違点を中心に説明する。
【００２３】
図５において、Ａａは容器本体、Ｂａは底蓋である。
容器本体Ａａは、頂壁１ａと側周壁２ａ、および側周壁２ａの下端から外方に突出するフランジ３ａとから構成されている。
【００２４】
頂壁１ａには、取出口４ａと、乾燥剤５ａの収納部６ａが設けられ、取出口４ａは、図５（ｂ）に示すように、前端２０が、側周壁２ａの前壁上端を切欠いて、側端２１が頂壁１ａを切欠くようにして、角形に形成されている。
取出口４ａの内側端縁２２には、薄肉のヒンジ部２３を介して開閉蓋２４が取着されている。  
【００２５】
取出口４ａの前端２０を形成する側周壁２ａには、内方に凹んだ凹部２５が設けられ、指先により、開閉蓋２４を押上げるようにしている。
【００２６】
開閉蓋２４は、頂板２６と、その周縁から垂設された前壁２７と、側壁２８ａ、２８ｂから構成され、前壁２７は、取出口４ａの凹部２５を覆って前端２０上面に当接するよう巾広に形成され、側壁２８ａ、２８ｂは、取出口４ａの側端２１側面に嵌合するように形成されており、側壁２８ａ、２８ｂには、開閉蓋２４が側端２１下面に係止されるよう突起２９が設けられている。
【００２７】
頂壁１ａには、開閉蓋２４の上面を覆うタックラベル３０が貼着され、乾燥剤の収納部６ａを覆い、ヒンジ部２３を補強している。
【００２８】
底蓋Ｂａの構成、容器本体Ａａと底蓋Ｂａとの関連の構成は、第１実施例と同様であるので、説明を省略する。
【００２９】
次に、使用態様とその作用効果ついて説明する。
内容物の充填にあたっては、第１実施例と同様に行う。
【００３０】
使用にあたって、取出口４ａの開閉は、開閉蓋２４の開閉によって行われる。
そして、開閉蓋２４の閉鎖時には、開閉蓋２４の前壁２７と側壁２８ａ，ｂが、取出口４ａの前端２０上面と、側端２１の側面に係合して取出口４ａを封鎖し、容器内部は密封される。
その他の点では、第１実施例と同様の作用効果を得ることができる。
【実施例３】
【００３１】
次に、第３実施例について説明する。
本実施例は、収納容器を上部ケースと下部ケースによって構成したものである。
図６、７において、Ｃは上部ケース、Ｄは下部ケースである。
上部ケースＣは、頂壁４０と側周壁４１とから構成され、頂壁４０には、四角形の取出口４２が穿孔されている。
【００３２】
頂壁４０上面には、取出口４２を覆い、端部に摘み部４３、４４を設けたタックラベル４５が貼着されており、取出口４２の前端側には、摘み部４３、４４のいずれかを位置させ、指先が入る凹部４６が設けられている。
【００３３】
側周壁４１の下端部には、外方に突出するフランジ４７が設けられ、その下端は、嵌挿板４８となっている。
【００３４】
下部ケースＤは、底壁５０と、底壁５０から立設された内容物ａの収納室５１と、外周に沿って設けられた上部ケースＣの支持部５２、および乾燥剤５３の収納部５４とからなっている。
収納室５１は、四つの垂直壁５５、５６ａ，５６ｂ、５７と、垂直壁５５に連接された傾斜面５８とからなっている。
【００３５】
支持部５２は、底壁５０の外周縁から立設された外周壁５９と、該外周壁５９から上部ケースＣの嵌挿板４８が嵌合される嵌挿溝６０を挟んで、底壁５０に立設された内周壁６１とから構成されている。
【００３６】
乾燥剤５３の収納部５４は、底壁５０より立設された側周壁６２と頂壁６３とからなり、頂壁６３に開孔６４が穿孔されている。
【００３７】
下部ケースＤの底壁５０下面には、少なくとも乾燥剤５３の収納部５４を覆うタックラベル６５が貼着されている。
【００３８】
次に、本実施例の使用態様と作用効果について説明する。
内容物の充填にあたって、上部ケースＣに、タックラベル４５が貼着され、下部ケースＤには、乾燥剤５３が収納部５４に収納され、底壁５０下面にタックラベル６５が貼着される。
【００３９】
次に、内容物ａが収納室５１に充填され、下部ケースＤの支持部５２の嵌挿溝６０に上部ケースＣの嵌挿板４８が嵌合されて、内容物ａが密封される。
【００４０】
使用にあたって、凹部４６に指先を入れ、摘み部４３または４４を摘んでタックラベル４５を開閉することによって、第１実施例と同様に、内容物ａを取り出すことができる。
【００４１】
前記各実施例では、乾燥剤として、円形の固形物を用いているが、シート状の乾燥剤を用いて、乾燥剤の収納部を底の浅い長方形の凹部として収納してもよい。
また、乾燥剤を側周壁側から収納するように、収納部を配設するようにしてもよい。
【産業上の利用可能性】
【００４２】
フィルム状物品の内容物を取出しできる容器本体に乾燥剤の収納部を設けて、容器内の湿気を吸収するようにしたから、清涼フィルムばかりではなく、海苔、その他のシート状乾燥食品の収納にも利用できる。
【００４３】
また、食品ばかりではなく、ティッシュペーパー等のシート状物の携帯用収納容器としても利用でき、用途を広い範囲に拡大することができる。
【図面の簡単な説明】
【００４４】
【図１】本発明第１実施例の収納容器の断面立面図である。
【図２】収納容器の説明図で、（ａ）はタックラベル貼着前の容器の斜視図、（ｂ）は内容物取出時の容器の斜視図である。
【図３】内容物充填時の容器の斜視図である。
【図４】収納容器の底面の斜視図である。
【図５】第２実施例の収納容器の説明図で、（ａ）は開閉蓋閉蓋時の容器の斜視図、（ｂ）は内容物取出時の容器の斜視図である。
【図６】第３実施例の収納容器の説明図、（ａ）は斜視図、（ｂ）は断面立面図である。
【図７】収納容器の構成品の分解斜視図である。
【符号の説明】
【００４５】
Ａ、Ａａ        容器本体
ａ              内容物
Ｂ、Ｂａ        底蓋
Ｃ              上部ケース
Ｄ              下部ケース
１、１ａ、４０、６３  頂壁
２、２ａ、４１、６２  側周壁
３、３ａ、４７   フランジ
４、４ａ、４２  取出口
５、５ａ、５３  乾燥剤
６、６ａ、５４  収納部
７、６４        開孔
８、３０、４５、６５  タックラベル
９、４３、４４  摘み部
１０            切込み線
１１ａ，ｂ      非塗布部分
１２            突起
１３            ヒンジ部
１４            板体
１５            突条
１６、５８      傾斜面
１７            引出し部
１８、５１      収納室
２０            前端
２１            側端
２２            内側端縁
２３            ヒンジ部
２４            開閉蓋
２５            凹部
２６            頂板
２７            前壁
２８ａ，ｂ      側壁
２９            突起
４５            貼着部
４６            凹部
４８            嵌挿板
５０            底壁
５２            支持部
５５、５６ａ，ｂ、５７  垂直壁
５９            外周壁
６０            嵌挿溝
１            内周壁
【図１】
2005153968.tif 000003
【図２】
2005153968.tif 000004
【図３】
2005153968.tif 000005
【図４】
2005153968.tif 000006
【図５】
2005153968.tif 000007
【図６】
2005153968.tif 000008
【図７】
2005153968.tif 000009